(57)【要約】  通信端末装置である端末機器（１０）と近接無線通信を行い、端末機器（１０）から受信する情報をソフトウェアにより処理する通信装置である中継機器（２０）であって、端末機器（１０）からの電波を受信するループアンテナ（２０１）と、ループアンテナ（２０１）を介して端末機器（１０）と近接無線通信を行い、端末機器（１０）から受信する情報を処理するアプリケーションを識別するアプリケーション識別情報（１００３）を、端末機器（１０）から受信する近接無線通信部（２０４）と、受信されたアプリケーション識別情報（１００３）に対応するアプリケーションを取得し、取得したアプリケーションを起動させるコントローラ（２０５）とを備える。
2012008108.tif 000002
【特許請求の範囲】
【請求項１】
通信端末装置と近接無線通信を行い、前記通信端末装置から受信する情報をソフトウェアにより処理する通信装置であって、
前記通信端末装置からの電波を受信するアンテナ部と、
前記アンテナ部を介して前記通信端末装置と近接無線通信を行い、前記通信端末装置から受信する情報を処理するソフトウェアを識別するソフトウェア識別情報を、前記通信端末装置から受信する近接無線通信部と、
受信された前記ソフトウェア識別情報に対応するソフトウェアである対応ソフトウェアを取得し、取得した前記対応ソフトウェアを起動させる制御部と
を備える通信装置。
【請求項２】
さらに、
１以上のソフトウェアを記憶している記憶部を備え、
前記制御部は、前記記憶部に前記対応ソフトウェアが記憶されている場合に、前記記憶部から前記対応ソフトウェアを取得し、取得した前記対応ソフトウェアを起動させる
請求項１に記載の通信装置。
【請求項３】
前記通信装置は、前記対応ソフトウェアを含む１以上のソフトウェアを記憶している記憶装置と通信ネットワークを介して接続されており、
前記通信装置は、さらに、
前記記憶装置と通信する通信部を備え、
前記制御部は、
前記ソフトウェア識別情報を用いて、前記記憶部に前記対応ソフトウェアが記憶されているか否かを判定し、
前記記憶部に前記対応ソフトウェアが記憶されていると判定した場合には、前記記憶部から前記対応ソフトウェアを取得し、取得した前記対応ソフトウェアを起動させ、
前記記憶部に前記対応ソフトウェアが記憶されていないと判定した場合には、前記通信部を介して、前記対応ソフトウェアを送信するよう依頼するソフトウェア送信依頼信号を前記記憶装置に送信することで前記記憶装置から前記対応ソフトウェアを取得し、取得した前記対応ソフトウェアを起動させる
請求項２に記載の通信装置。
【請求項４】
前記近接無線通信部は、前記通信端末装置から、前記記憶装置を識別する記憶装置識別情報をさらに受信し、
前記制御部は、前記記憶部に前記対応ソフトウェアが記憶されていないと判定した場合には、前記通信部を介して、受信された前記記憶装置識別情報で示される記憶装置に、前記ソフトウェア識別情報と前記通信装置を識別する通信装置識別情報とが含まれる前記ソフトウェア送信依頼信号を送信することで、前記記憶装置から前記対応ソフトウェアを取得し、取得した前記対応ソフトウェアを起動させる
請求項３に記載の通信装置。
【請求項５】
前記通信装置は、情報を登録するための登録装置と通信ネットワークを介して接続されており、
前記近接無線通信部は、前記通信端末装置から、前記登録装置を識別する登録装置識別情報と前記通信端末装置を識別する端末識別情報とをさらに受信し、
前記制御部は、前記通信端末装置から受信する情報の登録を行うための前記対応ソフトウェアを起動させることで、受信された前記端末識別情報を少なくとも含む情報を、前記通信装置を識別する通信装置識別情報に関連付けて、前記登録装置識別情報で示される登録装置に送信する
請求項１〜４のいずれか１項に記載の通信装置。
【請求項６】
前記近接無線通信部は、前記通信端末装置にポーリング信号を送信し、前記通信端末装置からポーリング応答を受信して近接無線通信が確立した場合に、前記通信端末装置に前記ソフトウェア識別情報の送信を要求することで、前記通信端末装置から前記ソフトウェア識別情報を受信する
請求項１〜５のいずれか１項に記載の通信装置。
【請求項７】
前記近接無線通信部は、前記通信端末装置からポーリング信号を受信した場合に、前記通信端末装置にポーリング応答を送信することで近接無線通信を確立させ、前記通信端末装置から前記ソフトウェア識別情報を受信する
請求項１〜５のいずれか１項に記載の通信装置。
【請求項８】
前記近接無線通信部は、前記近接無線通信部がリーダライタ機能を有するリーダライタ機器と近接無線通信を行うリーダライタモードと、前記近接無線通信部がＩＣタグ機能を有するタグ機器と近接無線通信を行うタグモードとを切り替える通信モード切替部を備え、
前記通信モード切替部は、前記通信端末装置がリーダライタ機器の場合に、前記近接無線通信部をリーダライタモードに切り替え、前記通信端末装置がタグ機器の場合に、前記近接無線通信部をタグモードに切り替える
請求項１〜５のいずれか１項に記載の通信装置。
【請求項９】
通信端末装置と近接無線通信を行い、アンテナ部を介して前記通信端末装置から受信する情報をソフトウェアにより処理する通信方法であって、
前記アンテナ部を介して前記通信端末装置と近接無線通信を行い、前記通信端末装置から受信する情報を処理するソフトウェアを識別するソフトウェア識別情報を、前記通信端末装置から受信する近接無線通信ステップと、
受信された前記ソフトウェア識別情報に対応するソフトウェアである対応ソフトウェアを取得し、取得した前記対応ソフトウェアを起動させる制御ステップと
を含む通信方法。
【発明の詳細な説明】
【技術分野】
【０００１】
本発明は、ＲＦＩＤなどを利用した近接無線通信によって通信端末装置と近接無線通信を行い、当該通信端末装置から受信する情報をソフトウェアにより処理する通信装置及び通信方法に関するものである。
【背景技術】
【０００２】
非接触情報媒体を利用して、最低限の顧客情報によりユーザの匿名性を確保しつつマーケティング支援を行う顧客管理支援システムが開示されている（例えば、特許文献１参照）。【０００３】
本特許文献１では、非接触情報媒体の固有のカード識別情報と必要最小限のユーザ情報とをネットワークを介して管理センターで顧客情報として登録し、ユーザがこの非接触情報媒体を各所の施設に配置されたリーダ部にかざしてリーダ部から当該施設の利用情報をネットワークを介して管理センターで受信し、ユーザ情報に当該利用情報を追加登録する顧客管理支援システムが開示されている。具体的には、顧客管理支援システムは、管理センターの処理部が、顧客情報をカード識別情報に基づいてデータベース化して記憶部に登録し、利用情報に関して既登録の顧客情報からカード識別情報と関連するユーザ情報にリーダ識別情報及びそのときの時刻を関連付けて登録し、さらに各施設の端末装置に対して当該施設の利用動向情報を送信する。【０００４】
また、非接触ＩＣタグを利用した情報配信システムにおける、その入会手続が簡単な非接触ＩＣタグの配布方法及び配布装置が開示されている（例えば、特許文献２参照）。【０００５】
本特許文献２では、以下の内容が開示されている。まず、携帯端末装置が通信インタフェースに接続されると、配布される非接触ＩＣタグの会員ＩＤがリーダによって読み出される。そして、この会員ＩＤを記載した電子メールをサーバへ送信するように、通信インタフェースを通じて、制御部によって携帯端末装置が制御される。また、サーバでは、電子メールを携帯端末装置より受信すると、携帯端末装置に割り当てられたメールアドレスと電子メールに記載された会員ＩＤとから、ユーザ登録を行う。
【先行技術文献】
【特許文献】
【０００６】
【特許文献１】特開２００９−８７３１４号公報
【特許文献２】特許第４１６２４６４号公報
【発明の概要】
【発明が解決しようとする課題】
【０００７】
しかしながら、上記従来の構成では、ＩＣタグを備えるカード型媒体をリーダライタにかざすことによって、ＩＣタグに記録されているユーザ情報がネットワークを介して接続されるサーバ機器に登録されることが開示されているが、ＩＣタグから読み出した情報を処理するためのアプリケーションが、リーダライタに備えられ起動されていることを前提としているため、携帯電話などをリーダライタとして利用する場合には、アプリケーションがインストールされていない場合があり、ユーザがインストールして起動するなど煩雑な操作を要する。【０００８】
本発明は、上記従来の課題を解決するもので、近接無線通信を介して通信端末装置から受信した情報を、ユーザの煩雑な操作を必要とすることなく処理することができる通信装置及び通信方法を提供することを目的とする。
【課題を解決するための手段】
【０００９】
上記従来の課題を解決するために、本発明の一態様に係る通信装置は、通信端末装置と近接無線通信を行い、前記通信端末装置から受信する情報をソフトウェアにより処理する通信装置であって、前記通信端末装置からの電波を受信するアンテナ部と、前記アンテナ部を介して前記通信端末装置と近接無線通信を行い、前記通信端末装置から受信する情報を処理するソフトウェアを識別するソフトウェア識別情報を、前記通信端末装置から受信する近接無線通信部と、受信された前記ソフトウェア識別情報に対応するソフトウェアである対応ソフトウェアを取得し、取得した前記対応ソフトウェアを起動させる制御部とを備える。【００１０】
本構成によれば、近接無線通信によって、通信端末装置から受信する情報を処理するソフトウェアを識別するソフトウェア識別情報を受信し、当該ソフトウェア識別情報に対応する対応ソフトウェアを取得して、対応ソフトウェアを起動させる。つまり、通信端末装置と通信装置との近接無線通信を確立させるだけで、受信した情報を処理するためのソフトウェアを起動させることができる。このため、近接無線通信を介して通信端末装置から受信した情報を、ユーザの煩雑な操作を必要とすることなく処理することができる。【００１１】
また、好ましくは、さらに、１以上のソフトウェアを記憶している記憶部を備え、前記制御部は、前記記憶部に前記対応ソフトウェアが記憶されている場合に、前記記憶部から前記対応ソフトウェアを取得し、取得した前記対応ソフトウェアを起動させる。【００１２】
本構成によれば、記憶部に対応ソフトウェアが記憶されている場合に、記憶部から対応ソフトウェアを取得し、当該対応ソフトウェアを起動させる。つまり、通信端末装置と通信装置との近接無線通信を確立させるだけで、記憶部に記憶されているソフトウェアが自動的に起動して、受信した情報を処理する。このため、近接無線通信を介して通信端末装置から受信した情報を、ユーザの煩雑な操作を必要とすることなく処理することができる。【００１３】
また、好ましくは、前記通信装置は、前記対応ソフトウェアを含む１以上のソフトウェアを記憶している記憶装置と通信ネットワークを介して接続されており、前記通信装置は、さらに、前記記憶装置と通信する通信部を備え、前記制御部は、前記ソフトウェア識別情報を用いて、前記記憶部に前記対応ソフトウェアが記憶されているか否かを判定し、前記記憶部に前記対応ソフトウェアが記憶されていると判定した場合には、前記記憶部から前記対応ソフトウェアを取得し、取得した前記対応ソフトウェアを起動させ、前記記憶部に前記対応ソフトウェアが記憶されていないと判定した場合には、前記通信部を介して、前記対応ソフトウェアを送信するよう依頼するソフトウェア送信依頼信号を前記記憶装置に送信することで前記記憶装置から前記対応ソフトウェアを取得し、取得した前記対応ソフトウェアを起動させる。【００１４】
本構成によれば、記憶部に対応ソフトウェアが記憶されていないと判定した場合には、通信部を介して、外部のサーバ機器である記憶装置から対応ソフトウェアを取得し、当該対応ソフトウェアを起動させる。つまり、通信端末装置と通信装置との近接無線通信を確立させるだけで、通信装置に所定のソフトウェアが記憶されていない場合においても、通信装置を操作することなく自動的に所定のソフトウェアを起動させて、受信した情報を処理する。このため、近接無線通信を介して通信端末装置から受信した情報を、ユーザの煩雑な操作を必要とすることなく処理することができる。【００１５】
また、好ましくは、前記近接無線通信部は、前記通信端末装置から、前記記憶装置を識別する記憶装置識別情報をさらに受信し、前記制御部は、前記記憶部に前記対応ソフトウェアが記憶されていないと判定した場合には、前記通信部を介して、受信された前記記憶装置識別情報で示される記憶装置に、前記ソフトウェア識別情報と前記通信装置を識別する通信装置識別情報とが含まれる前記ソフトウェア送信依頼信号を送信することで、前記記憶装置から前記対応ソフトウェアを取得し、取得した前記対応ソフトウェアを起動させる。【００１６】
本構成によれば、通信端末装置から記憶装置識別情報を受信して、記憶装置識別情報で示される記憶装置に、ソフトウェア識別情報と通信装置識別情報とが含まれるソフトウェア送信依頼信号を送信することで、記憶装置から対応ソフトウェアを取得して起動させる。つまり、記憶装置のアドレスなどの記憶装置へのアクセス情報を通信端末装置から受信することで、簡易に記憶装置にアクセスすることができ、ソフトウェア識別情報を記憶装置に送付することで、簡易に記憶装置から対応ソフトウェアを取得することができる。このため、複雑な処理を行うことなく、近接無線通信を介して通信端末装置から受信した情報を処理することができる。【００１７】
また、好ましくは、前記通信装置は、情報を登録するための登録装置と通信ネットワークを介して接続されており、前記近接無線通信部は、前記通信端末装置から、前記登録装置を識別する登録装置識別情報と前記通信端末装置を識別する端末識別情報とをさらに受信し、前記制御部は、前記通信端末装置から受信する情報の登録を行うための前記対応ソフトウェアを起動させることで、受信された前記端末識別情報を少なくとも含む情報を、前記通信装置を識別する通信装置識別情報に関連付けて、前記登録装置識別情報で示される登録装置に送信する。【００１８】
本構成によれば、対応ソフトウェアを起動させることで、端末識別情報を少なくとも含む情報を通信装置識別情報に関連付けて、登録装置識別情報で示される登録装置へ送信する。つまり、通信端末装置と通信装置との近接無線通信を確立させるだけで、受信した情報を処理するソフトウェアを自動で起動し、さらに、端末識別情報を通信装置識別情報に関連付けて外部のサーバ機器である登録装置に送信する。このため、ユーザによる１度のタッチ操作によって、近接無線通信を介して通信端末装置から受信した情報を処理して、外部のサーバ機器に通信端末装置の情報を登録することができる。【００１９】
また、好ましくは、前記近接無線通信部は、前記通信端末装置にポーリング信号を送信し、前記通信端末装置からポーリング応答を受信して近接無線通信が確立した場合に、前記通信端末装置に前記ソフトウェア識別情報の送信を要求することで、前記通信端末装置から前記ソフトウェア識別情報を受信する。【００２０】
本構成によれば、近接無線通信部が、通信端末装置にポーリング信号を送信して近接無線通信を確立させることで、通信端末装置からソフトウェア識別情報を受信する。つまり、通信端末装置がタグ機器の場合に、通信装置をリーダライタ機器として動作させることで、通信端末装置と通信装置との近接無線通信を確立させ、ソフトウェア識別情報を受信することができる。【００２１】
また、好ましくは、前記近接無線通信部は、前記通信端末装置からポーリング信号を受信した場合に、前記通信端末装置にポーリング応答を送信することで近接無線通信を確立させ、前記通信端末装置から前記ソフトウェア識別情報を受信する。【００２２】
本構成によれば、近接無線通信部が、通信端末装置にポーリング応答を送信して近接無線通信を確立させることで、通信端末装置からソフトウェア識別情報を受信する。つまり、通信端末装置がリーダライタ機器の場合に、通信装置をタグ機器として動作させることで、通信端末装置と通信装置との近接無線通信を確立させ、ソフトウェア識別情報を受信することができる。【００２３】
また、好ましくは、前記近接無線通信部は、前記近接無線通信部がリーダライタ機能を有するリーダライタ機器と近接無線通信を行うリーダライタモードと、前記近接無線通信部がＩＣタグ機能を有するタグ機器と近接無線通信を行うタグモードとを切り替える通信モード切替部を備え、前記通信モード切替部は、前記通信端末装置がリーダライタ機器の場合に、前記近接無線通信部をリーダライタモードに切り替え、前記通信端末装置がタグ機器の場合に、前記近接無線通信部をタグモードに切り替える。【００２４】
本構成によれば、通信端末装置がリーダライタ機器の場合に、近接無線通信部をリーダライタモードに切り替え、通信端末装置がタグ機器の場合に、近接無線通信部をタグモードに切り替える。つまり、通信装置にリーダライタ機器またはタグ機器を近づけることによって、通信装置と当該リーダライタ機器またはタグ機器との近接無線通信を確立し、自動的に所定のソフトウェアを起動させることができる。このため、通信端末装置がリーダライタ機器であってもタグ機器であっても、近接無線通信を介して通信端末装置から受信した情報を、ユーザの煩雑な操作を必要とすることなく処理することができる。【００２５】
また、本発明は、このような通信装置として実現できるだけでなく、当該通信装置を構成する各処理部を備える集積回路として実現したり、当該各処理部の処理をステップとする通信方法として実現したりすることができる。さらに、本発明は、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データまたは信号として実現したりすることもできる。そして、それらプログラム、情報、データ及び信号は、インターネット等の通信ネットワークを介して配信してもよい。
【発明の効果】
【００２６】
本発明に係る通信装置及び通信方法によれば、近接無線通信を介して通信端末装置から受信した情報を、ユーザの煩雑な操作を必要とすることなく処理することができる。
【図面の簡単な説明】
【００２７】
【図１】図１は、本発明の実施の形態１における通信システムの全体像を表した概念図である。
【図２】図２は、本発明の実施の形態１における端末機器のメモリに記憶される情報を示す概念図である。
【図３】図３は、本発明の実施の形態１における中継機器の構成を示すブロック図である。
【図４】図４は、本発明の実施の形態１における中継機器のメモリに記憶される情報を示す概念図である。
【図５】図５は、本発明の実施の形態１における中継機器の動作の一例を示すフローチャートである。
【図６Ａ】図６Ａは、本発明の実施の形態１における端末機器、中継機器及びサーバ機器の動作の一例を示すシーケンス図である。
【図６Ｂ】図６Ｂは、本発明の実施の形態１の変形例における端末機器、中継機器及びサーバ機器の動作の一例を示すシーケンス図である。
【図７】図７は、本発明の実施の形態２における中継機器である携帯機器の構成を示すブロック図である。
【図８】図８は、本発明の実施の形態２における携帯機器が受信する端末通信情報と携帯機器が送信する携帯通信情報との構成を示す図である。
【図９】図９は、本発明の実施の形態２における携帯機器の動作の一例を示すフローチャートである。
【図１０Ａ】図１０Ａは、本発明の実施の形態２における端末機器、携帯機器及びサーバ機器の動作の一例を示すシーケンス図である。
【図１０Ｂ】図１０Ｂは、本発明の実施の形態２の変形例における端末機器、携帯機器及びサーバ機器の動作の一例を示すシーケンス図である。
【図１１】図１１は、本発明の実施の形態１の変形例における中継機器の構成を示すブロック図である。
【発明を実施するための形態】
【００２８】
以下、本発明の一実施形態について、図面を参照しながら説明する。
【００２９】
（実施の形態１）
本実施の形態では、近接無線通信機能を有する端末機器と、端末機器と近接無線通信を行う中継機器と、中継機器とインターネットや携帯電話網などの汎用のネットワークを介して接続されるサーバ機器とから構成される通信システムであって、端末機器のセンシング情報などを中継機器を介してサーバ機器のデータベースに登録する通信システムについて、図面を用いて詳細に説明する。
【００３０】
図１は、本実施の形態１における通信システム１の全体像を表した概念図である。
【００３１】
同図に示すように、通信システム１は、端末機器１０と、中継機器２０と、ネットワーク３０と、サーバ機器３１とを備えている。なお、端末機器１０は、請求の範囲に記載の「通信端末装置」に相当し、中継機器２０は、請求の範囲に記載の「通信装置」に相当する。また、中継機器２０は、例えばスマートフォンなどの携帯端末である。
【００３２】
端末機器１０と中継機器２０とは、近接無線通信によって通信可能である。本実施の形態における近接無線通信とは、電磁誘導方式の１３．５６ＭＨｚ帯（ＨＦ帯）や電波方式の５２〜９５４ＭＨｚ帯（ＵＨＦ帯）などのＲＦＩＤ（Ｒａｄｉｏ Ｆｒｅｑｕｅｎｃｙ Ｉｄｅｎｔｉｆｉｃａｔｉｏｎ、ＩＳＯ  １４４４３）タグとリーダライタとの通信や、１３．５６ＭＨｚ帯のＮＦＣ（Ｎｅａｒ  Ｆｉｅｌｄ  Ｃｏｍｍｕｎｉｃａｔｉｏｎ、ＩＳＯ／ＩＥＣ  ２１４８１）による通信を想定している。通常、ＨＦ帯では数１０ｃｍ、ＵＨＦ帯では数ｃｍの通信距離に限られるため、端末機器１０に中継機器２０をかざす（あるいはタッチする）ことによって通信を確立する。
【００３３】
本実施の形態では、端末機器１０側にリーダライタ機能を実装し、中継機器２０側にＩＣタグ機能を有する構成であってもよいし、本実施の形態の主眼は、端末機器１０と中継機器２０とが互いに近接無線通信によって情報のやりとりができる構成であればよいので、端末機器１０側にＩＣタグ機能を実装し、中継機器２０側にリーダライタ機能を有する構成であってもよい。また、ＮＦＣでは、Ｐｅｅｒ−ｔｏ−Ｐｅｅｒ通信機能や、タグエミュレーション、リーダライタエミュレーションが規格化されており、この場合には、ＩＣタグとリーダライタとの関係はどちらでもよいことになる。
【００３４】
（中継機器２０の構成の説明）
中継機器２０は、ループアンテナ２０１と、表示部２０２と、入力部２０３とを備えている。
【００３５】
ループアンテナ２０１は、端末機器１０のＩＣタグまたはリーダライタと近接無線通信を行うためのアンテナである。つまり、ループアンテナ２０１は、端末機器１０から発せられる電波を受信するアンテナである。なお、ループアンテナ２０１は、請求の範囲に記載の「アンテナ部」に相当する。
【００３６】
表示部２０２は、端末機器１０との近接無線通信の結果や、サーバ機器３１からの送信データを表示する部分であり、液晶ディスプレイなどで構成される。
【００３７】
入力部２０３は、中継機器２０をユーザが操作するためのインタフェースである。
【００３８】
なお、中継機器２０の詳細な説明は、後述する。
【００３９】
（端末機器１０の構成の説明）
端末機器１０は、コントローラ１０１と、メモリ１０２と、近接無線通信部１０３と、ループアンテナ１０４とを備えている。
【００４０】
コントローラ１０１は、端末機器１０のシステムコントローラであるＣＰＵであり、少なくとも端末機器１０の近接無線通信以外のシステムコントロールを行う部分である。
【００４１】
メモリ１０２は、コントローラ１０１で動作するための制御ソフトや、端末機器１０でセンシングするあらゆるデータを記憶可能な不揮発性メモリを含むメモリである。なお、メモリ１０２は、コントローラ１０１のＬＳＩ内部に実装されていてもよく、外付けメモリであってもよい。メモリ１０２は、内部に、書き換え不可能なＲＯＭ領域と、書き換え可能なＲＡＭ領域と、コントローラ１０１の制御手順を記したファームウェア（ＦＷ）を格納したＦＷ領域とを具備している。
【００４２】
図２は、本実施の形態１におけるメモリ１０２に記憶される情報を示した概念図である。
【００４３】
同図に示すように、ＲＯＭ領域には、端末機器固有情報１００１、サーバアクセス情報１００２、及びアプリケーション識別情報１００３などが記録されている。
【００４４】
端末機器固有情報１００１は、端末機器１０を識別可能な端末装置識別情報（製造番号）や端末装置型番（製造品番）、製造メーカ識別情報、生産ロット識別情報生産日などの情報である。
【００４５】
サーバアクセス情報１００２は、サーバアドレス（ＵＲＬ（Ｕｎｉｆｏｒｍ  Ｒｅｓｏｕｒｃｅ  Ｌｏｃａｔｏｒ））やサーバ認証情報（アカウント，パスワード）などの情報である。
【００４６】
アプリケーション識別情報１００３は、中継機器２０から受信する情報を処理するアプリケーションを識別する情報である。なお、アプリケーション識別情報１００３は、請求の範囲に記載の「ソフトウェア識別情報」に包含される。
【００４７】
なお、これらの情報は、端末機器１０の生産工程の中で記録される。これによって、Ａ社製の端末機器情報がＡ社とは別のＢ社のサーバに転送されるということを回避することが可能となる。
【００４８】
つまり、メーカとしては、自社製品のユーザ使用履歴などは、他社へ漏洩させたくない貴重なデータであるため、端末機器１０に応じたサーバに接続することが重要となり、メモリ１０２のＲＯＭ領域にサーバアクセス情報１００２を記録することで、端末機器１０に応じたサーバへの接続を実現することができる。そして、端末機器１０は、これらの情報を、中継機器２０を介してサーバ機器３１に送信することによって、メーカ側で端末機器１０を識別することが可能となる。
【００４９】
ＲＡＭ領域には、端末機器１０の使用履歴情報やエラー情報などが記録される。
【００５０】
ＦＷ領域には、コントローラ１０１の制御手順であるファームウェアが記録される。ＦＷ領域は、ＲＯＭメモリでも構わないし、ＲＡＭメモリでも構わない。
【００５１】
図１に戻り、近接無線通信部１０３は、中継機器２０に実装されているリーダライタまたはＩＣタグと通信を行う部分であり、ＩＣタグへの転送データを変調したり、ＩＣタグからの転送データを復調したりする部分である。
【００５２】
なお、中継機器２０にリーダライタが実装されていれば、リーダライタへの転送データを変調したり、リーダライタからの転送データを復調したりする。また、近接無線通信部１０３は、中継機器２０のリーダライタから受信した電波に基づいて、少なくとも近接無線通信を確立するための電力生起を行ったり、リーダライタからの電波に基づいてクロック信号を抽出したりする。
【００５３】
よって、端末機器１０の少なくとも近接無線通信部１０３は、リーダライタからの電波で電力生起を行ったりクロック信号を抽出したりするので、端末機器１０の主電源がオフの状態においても、中継機器２０と近接無線通信を行うことが可能である。
【００５４】
ループアンテナ１０４は、中継機器２０のリーダライタまたはＩＣタグと近接無線通信を行うためのループアンテナである。例えば、端末機器１０は、ループアンテナ１０４を介して、中継機器２０に備えられるＩＣタグに向けてポーリングを行い、通信が確立した時点で、中継機器２０から情報を読み出したり、中継機器２０へ情報を書き込んだりする。
【００５５】
ここで、コントローラ１０１の動作を詳細に説明する。
【００５６】
コントローラ１０１は、端末機器１０のループアンテナ１０４に中継機器２０のループアンテナ２０１が近接し、端末機器１０と中継機器２０との間で近接無線通信が確立したことを検出すると、メモリ１０２に格納されている端末機器固有情報１００１、サーバアクセス情報１００２及びアプリケーション識別情報１００３を読み出し、中継機器２０へ送信する。
【００５７】
（サーバ機器３１の構成の説明）
サーバ機器３１は、データベース等を記憶している記憶装置を備えたサーバであり、中継機器２０と通信ネットワークを介して接続されている。サーバ機器３１は、通常は、データベースをもったＷＥＢサーバである。サーバ機器３１は、中継機器２０から転送されてくる情報をデータベースに登録して、その結果情報を、中継機器２０に転送し、表示部２０２に表示させる。なお、サーバ機器３１は、請求の範囲に記載の「登録装置」の機能を包含する。
【００５８】
以上のような通信システム１の構成によって、端末機器１０でセンシングした情報を中継機器２０を介して、サーバ機器３１のデータベースに登録することができる。
【００５９】
例えば、端末機器１０から製造番号や型番、メーカ識別情報といった端末機器を唯一に識別可能な情報を近接無線通信で中継機器２０に転送する。そして、中継機器２０では、近接無線通信を介して端末機器１０から受信した情報に、中継機器２０が保持しているユーザや中継機器２０そのものを特定するための情報（メールアドレス、電話番号、携帯識別情報、ＳＩＭ（Ｓｕｂｓｃｒｉｂｅｒ  Ｉｄｅｎｔｉｔｙ  Ｍｏｄｕｌｅ Ｃａｒｄ）カードＩＤ等）や、中継機器２０が位置情報をセンシングできる場合には位置を特定するための情報（ＧＰＳ（Ｇｌｏｂａｌ  Ｐｏｓｉｔｉｏｎｉｎｇ  Ｓｙｓｔｅｍ）情報、Ａ−ＧＰＳ（Ａｓｓｉｓｔｅｄ−ＧＰＳ）情報、携帯網の基地局から推定される位置情報等）とともにサーバ機器３１に転送する。そして、サーバ機器３１でこれらの情報をデータベース登録することによって、ユーザに様々な情報の入力負担を無くし、実質、中継機器２０を端末機器１０にかざすだけで、端末機器１０のサーバ機器３１への愛用者登録などを行うことができる。
【００６０】
また、端末機器１０のセンシング情報として、不具合発生状況や使用履歴情報を送ることによって、メーカでは、特定ロットの初期不良を迅速に判断し、対処できる他、使用履歴情報からユーザごとに使用されている機能を導き、次期商品開発に利用するなどのメーカメリットを得ることが可能となる。
【００６１】
（中継機器２０の詳細な説明）
次に、本発明の実施の形態１における中継機器２０について、図面を用いて詳細に説明する。
【００６２】
図３は、本実施の形態１における中継機器２０の構成を示したブロック図である。
【００６３】
中継機器２０は、携帯電話なら携帯電話機能、パーソナルコンピュータ（ＰＣ）ならＰＣ機能を果たす部分である。本実施の形態の中継機器２０は、携帯電話端末、ＰＣのすべてを対象とする。よって、本実施の形態では、ひとつひとつの機器の説明は省略し、それぞれに共通の機能のみを説明する。
【００６４】
同図に示すように、中継機器２０は、ループアンテナ２０１の他に、近接無線通信部２０４と、コントローラ２０５と、メモリ２０６と、通信部２０７とを備えている。
【００６５】
近接無線通信部２０４は、端末機器１０が具備する近接無線通信部１０３と同等の処理部である。具体的には、近接無線通信部２０４は、ループアンテナ２０１を介して端末機器１０と近接無線通信を行い、端末機器１０からの情報を受信する。
【００６６】
ここで、近接無線通信部２０４が端末機器１０から受信する情報は、メモリ１０２に記憶されている端末機器固有情報１００１、サーバアクセス情報１００２、及び端末機器１０に関する処理を行うアプリケーションを識別するアプリケーション識別情報１００３などである。
【００６７】
なお、端末機器固有情報１００１または端末機器固有情報１００１に含まれる情報は、請求の範囲に記載の「端末識別情報」に相当する。また、サーバアクセス情報１００２は、請求の範囲に記載の「記憶装置識別情報」に包含される。
【００６８】
コントローラ２０５は、少なくとも近接無線通信部２０４の動作を制御したり、取得した情報をメモリ２０６へ格納したりするように指示するシステムコントローラであり、所謂、マイコンやＣＰＵで構成される。
【００６９】
具体的には、コントローラ２０５は、近接無線通信部２０４が受信したアプリケーション識別情報１００３に対応するアプリケーションである対応ソフトウェアを取得し、取得した当該対応ソフトウェアを起動させる。さらに具体的には、コントローラ２０５は、メモリ２０６に対応ソフトウェアが記憶されている場合に、メモリ２０６から対応ソフトウェアを取得し、当該対応ソフトウェアを起動させる。
【００７０】
また、コントローラ２０５は、対応ソフトウェアを起動させるとともに、近接無線通信部２０４が受信した端末機器固有情報１００１を少なくとも含む情報を、中継機器２０を識別する通信装置識別情報に関連付けて、サーバ機器３１へ送信する。なお、コントローラ２０５は、請求の範囲に記載の「制御部」に相当する。
【００７１】
メモリ２０６は、内部に書き換え不可能なＲＯＭ領域と、書き換え可能なＲＡＭ領域と、コントローラ２０５の制御手順を記したファームウェア（ＦＷ）を格納したＦＷ領域とを備えている。なお、メモリ２０６は、請求の範囲に記載の「記憶部」に相当する。
【００７２】
図４は、本実施の形態１におけるメモリ２０６に記憶される情報を示した概念図である。
【００７３】
同図に示すように、ＲＯＭ領域には、中継機器２０の製造時に工程にて書き込まれる中継機器識別情報（製造番号）２０１１と、中継機器２０を使用する人を識別可能な使用者識別情報（ＳＩＭカードＩＤ等）２０１２と、中継機器型番（製造品番）２０１３などが記憶されている。なお、中継機器識別情報２０１１、使用者識別情報２０１２及び中継機器型番２０１３は、請求の範囲に記載の「通信装置識別情報」に包含される。
【００７４】
なお、本ＲＯＭ領域の情報は、中継機器２０の生産時に書き込まれている。また、本ＲＯＭ領域は、物理的には書き換え可能なフラッシュメモリなどで構成されていても構わないが、その場合は、端末機器１０のリーダライタからはリードオンリーの領域として管理される。これによって、不正に識別情報を書き換えて成りすましをしたり、不正なサーバアクセス情報に書き換えたりするなどの悪意ある操作を防止することができ、セキュリティを向上させることが可能である。
【００７５】
ＲＡＭ領域には、例えば端末機器１０の愛用者登録などを行うためのアプリケーションソフト２０１４や、サーバアクセス情報２０１５が記録される。ここで、サーバアクセス情報２０１５は、端末機器１０から近接無線通信を介して読み出されたサーバアクセス情報１００２が記憶された情報であり、中継機器２０を介してサーバ機器３１に転送される情報である。
【００７６】
また、サーバアクセス情報２０１５には、サーバアドレス（ＵＲＬ）２０１６及びサーバ認証情報（アカウント、パスワード）が含まれる。なお、サーバアドレス（ＵＲＬ）２０１６は、請求の範囲に記載の「登録装置識別情報」に包含される。
【００７７】
ＦＷ領域には、コントローラ２０５の制御手順であるファームウェアが記録されている。なお、ＦＷ領域は、ＲＯＭメモリでも構わないし、ＲＡＭメモリでも構わない。ただし、ＦＷ領域は、後述するファームウェアの更新機能を具備させるためにはＲＡＭメモリが望ましいため、本実施の形態ではＲＡＭメモリとして説明する。
【００７８】
図３に戻り、通信部２０７は、サーバ機器３１とインターネットや携帯電話網などの汎用のネットワークを介して通信を行う処理部であり、所定のデータを送信または受信したり、アプリケーションソフト２０１４をダウンロードしたりする際に使用される。
【００７９】
次に、中継機器２０の動作について、説明する。
【００８０】
図５は、本実施の形態１における中継機器２０の動作の一例を示すフローチャートである。
【００８１】
同図に示すように、まず、近接無線通信部２０４は、ループアンテナ２０１を介して端末機器１０と近接無線通信を行い、端末機器１０からの情報を受信する（Ｓ１０２）。
【００８２】
そして、コントローラ２０５は、近接無線通信部２０４が受信した情報に含まれるアプリケーション識別情報１００３に対応する対応ソフトウェアがメモリ２０６に記憶されている場合に、メモリ２０６から当該対応ソフトウェアを取得し、起動させる（Ｓ１０４）。
【００８３】
ここで、端末機器１０、中継機器２０及びサーバ機器３１の動作の関係について、より詳細に説明する。
【００８４】
図６Ａは、本実施の形態１における端末機器１０、中継機器２０及びサーバ機器３１の動作の一例を示すシーケンス図である。具体的には、同図は、端末機器１０がＩＣタグ機能を実装し、中継機器２０がリーダライタ機能を有する構成の場合の端末機器１０、中継機器２０及びサーバ機器３１の動作の一例を示すシーケンス図である。
【００８５】
同図に示すように、まず、中継機器２０の近接無線通信部２０４は、ループアンテナ２０１を介して、端末機器１０へポーリング信号を送信する（Ｓ２０１）。なお、中継機器２０は、一定時間間隔でポーリング信号を送信することにしてもよいし、端末機器１０からのポーリング信号を受信しない場合にポーリング信号を送信することにしてもよいし、ユーザからの操作に基づいてポーリング信号を送信することにしてもよい。また、中継機器２０がＩＣタグ機能の動作を行っている場合には、中継機器２０がＩＣタグ機能からリーダライタ機能への切り替えを行う、または、ユーザの設定によってリーダライタ機能へ切り替えられることで、ポーリング信号を送信することにしてもよい。
【００８６】
そして、端末機器１０の近接無線通信部１０３は、中継機器２０からのポーリング信号を受信し（Ｓ２０３）、中継機器２０へポーリング応答を送信する（Ｓ２０５）。そして、中継機器２０の近接無線通信部２０４は、端末機器１０からのポーリング応答を受信し（Ｓ２０７）、端末機器１０との近接無線通信を確立する。
【００８７】
このように、中継機器２０が端末機器１０に対してポーリング信号を送信することで中継機器２０と端末機器１０との近接無線通信が確立した場合は、中継機器２０がリーダライタ機能を有する機器として動作し、端末機器１０がＩＣタグ機能を有するタグ機器として動作する。つまり、この場合には、中継機器２０は、端末機器１０がタグ機器であると判断し、リーダライタ機器として動作する。
【００８８】
近接無線通信が確立すると、中継機器２０の近接無線通信部２０４は、端末機器１０に、端末機器固有情報１００１、サーバアクセス情報１００２及びアプリケーション識別情報１００３を少なくとも含む情報の送信を要求する（Ｓ２０９）。
【００８９】
これにより、端末機器１０の近接無線通信部１０３は、ループアンテナ１０４を介して中継機器２０に当該情報を送信し（Ｓ２１０）、中継機器２０の近接無線通信部２０４は、ループアンテナ２０１を介して端末機器１０から当該情報を受信する（Ｓ２１２）。このように、端末機器１０がタグ機器の場合には、中継機器２０をリーダライタ機器として動作させることで、端末機器１０と中継機器２０との近接無線通信を確立させ、当該情報を受信することができる。
【００９０】
そして、中継機器２０のコントローラ２０５は、近接無線通信部２０４が受信した情報をメモリ２０６に記憶させる（Ｓ２１４）。ここでは、コントローラ２０５は、端末機器固有情報１００１及びアプリケーション識別情報１００３をメモリ２０６に一時的に記憶させるとともに、サーバアクセス情報１００２をメモリ２０６のサーバアクセス情報２０１５に書き込む。
【００９１】
そして、コントローラ２０５は、メモリ２０６に記憶されているアプリケーションソフト２０１４から、アプリケーション識別情報１００３に対応するアプリケーションを取得し、取得したアプリケーションを起動させる（Ｓ２１６）。ここで、起動されるアプリケーションは、端末機器１０の愛用者登録を行うためのアプリケーションである。なお、本実施の形態では、アプリケーションソフト２０１４に、アプリケーション識別情報１００３に対応するアプリケーションが含まれていることとする。
【００９２】
次に、コントローラ２０５は、起動されたアプリケーションの動作に従って、メモリ２０６に記憶されている中継機器識別情報２０１１、使用者識別情報２０１２及び中継機器型番２０１３の少なくとも１つと端末機器固有情報１００１とを少なくとも含む情報を、通信情報として生成する（Ｓ２１８）。
【００９３】
そして、中継機器２０の通信部２０７は、当該アプリケーションの動作に従って、サーバアクセス情報２０１５のサーバアドレス（ＵＲＬ）２０１６を参照して、サーバアドレス（ＵＲＬ）２０１６で示されるサーバ機器３１に接続して、当該通信情報を送信する（Ｓ２２０）。
【００９４】
通信情報を受信したサーバ機器３１は、当該通信情報に含まれる中継機器識別情報２０１１、使用者識別情報２０１２または中継機器型番２０１３に対応付けて、端末機器固有情報１００１をデータベースに登録する（Ｓ２２２）。これにより、端末機器１０の愛用者登録を行うことができる。
【００９５】
そして、サーバ機器３１は、登録完了通知を中継機器２０に送信し（Ｓ２２４）、登録完了通知を受信した中継機器２０は、表示部２０２に登録完了の表示をさせ（Ｓ２２６）、処理を終了する。
【００９６】
（実施の形態１の変形例）
次に、実施の形態１の変形例について、説明する。上記実施の形態１では、図６Ａにおいて、端末機器１０がＩＣタグ機能を実装し、中継機器２０がリーダライタ機能を有する構成であることとした。しかし、本変形例では、端末機器１０がリーダライタ機能を実装し、中継機器２０がＩＣタグ機能を有する構成であることとする。
【００９７】
図６Ｂは、本実施の形態１の変形例における端末機器１０、中継機器２０及びサーバ機器３１の動作の一例を示すシーケンス図である。具体的には、同図は、端末機器１０がリーダライタ機能を実装し、中継機器２０がＩＣタグ機能を有する構成の場合の端末機器１０、中継機器２０及びサーバ機器３１の動作の一例を示すシーケンス図である。
【００９８】
同図に示すように、まず、端末機器１０の近接無線通信部１０３は、ループアンテナ１０４を介して、中継機器２０へポーリング信号を送信する（Ｓ２０２）。なお、端末機器１０は、一定時間間隔でポーリング信号を送信することにしてもよいし、中継機器２０からのポーリング信号を受信しない場合にポーリング信号を送信することにしてもよいし、ユーザからの操作に基づいてポーリング信号を送信することにしてもよい。また、端末機器１０がＩＣタグ機能の動作を行っている場合には、端末機器１０がＩＣタグ機能からリーダライタ機能への切り替えを行う、または、ユーザの設定によってリーダライタ機能へ切り替えられることで、ポーリング信号を送信することにしてもよい。
【００９９】
そして、中継機器２０の近接無線通信部２０４は、端末機器１０からのポーリング信号を受信し（Ｓ２０４）、端末機器１０へポーリング応答を送信する（Ｓ２０６）。そして、端末機器１０の近接無線通信部１０３は、中継機器２０からのポーリング応答を受信し（Ｓ２０８）、中継機器２０との近接無線通信を確立する。
【０１００】
このように、端末機器１０が中継機器２０に対してポーリング信号を送信することで端末機器１０と中継機器２０との近接無線通信が確立した場合は、端末機器１０がリーダライタ機能を有する機器として動作し、中継機器２０がＩＣタグ機能を有するタグ機器として動作する。つまり、この場合には、中継機器２０は、端末機器１０がリーダライタ機器であると判断し、タグ機器として動作する。
【０１０１】
近接無線通信が確立すると、端末機器１０の近接無線通信部１０３は、ループアンテナ１０４を介して中継機器２０に端末機器固有情報１００１、サーバアクセス情報１００２及びアプリケーション識別情報１００３を少なくとも含む情報を送信し（Ｓ２１０）、中継機器２０の近接無線通信部２０４は、ループアンテナ２０１を介して端末機器１０から当該情報を受信する（Ｓ２１２）。このように、端末機器１０がリーダライタ機器の場合に、中継機器２０をタグ機器として動作させることで、端末機器１０と中継機器２０との近接無線通信を確立させ、当該情報を受信することができる。
【０１０２】
そして、以降の処理（Ｓ２１４〜Ｓ２２６）が行われるが、これらの処理については、図６Ａに示した処理（図６ＡのＳ２１４〜Ｓ２２６）と同じ処理であるため、詳細な説明は省略する。
【０１０３】
なお、当該処理（Ｓ２１４〜Ｓ２２６）の間に、中継機器２０がタグ機器からリーダライタ機器に切り替わることで、端末機器１０がポーリング信号を送信し続けなくともよくなるため、電力の消費を低減することができる。例えば、中継機器２０は、アプリケーションを起動（Ｓ２１６）する際に、タグ機器からリーダライタ機器への切り替えを行う。
【０１０４】
以上の構成により、次のような場合に有効に機能する。
【０１０５】
例えば、ユーザが端末機器１０のループアンテナ１０４に中継機器２０のループアンテナ２０１を近接させ、端末機器１０と中継機器２０との間で近接無線通信が確立すると、端末機器１０は、メモリ１０２に格納されている端末機器固有情報１００１、サーバアクセス情報１００２及びアプリケーション識別情報１００３を、中継機器２０へ送信する。
【０１０６】
これにより、例え中継機器２０側で格納されたアプリケーションが予め起動されていなくても、アプリケーション識別情報１００３を基に所定のアプリケーションが起動し、所望の端末機器固有情報１００１と中継機器識別情報２０１１と使用者識別情報２０１２と中継機器型番２０１３等の情報を、サーバアクセス情報１００２に記載された場所にあるサーバ機器３１へ送信することが可能となる。すなわち、ユーザは、中継機器２０でわざわざアプリケーションを起動させることなく、端末機器１０の情報をサーバ機器３１へ登録することができる。
【０１０７】
つまり本実施の形態及びその変形例に係る中継機器２０によれば、近接無線通信によって、情報を処理するためのアプリケーションを識別するアプリケーション識別情報１００３を受信し、当該アプリケーション識別情報１００３に対応するアプリケーションを取得して、起動させる。つまり、端末機器１０と中継機器２０との近接無線通信を確立させるだけで、受信した情報を処理するためのアプリケーションを起動させることができる。このため、近接無線通信を介して端末機器１０から受信した情報を、ユーザの煩雑な操作を必要とすることなく処理することができる。また、中継機器２０に常に当該アプリケーションを起動させておく必要がないので、使用電力の低減を行うことができる。
【０１０８】
また、アプリケーション識別情報１００３に対応するアプリケーションがメモリ２０６に記憶されている場合に、メモリ２０６から当該アプリケーションを取得し、起動させる。つまり、端末機器１０と中継機器２０との近接無線通信を確立させるだけで、メモリ２０６に記憶されているアプリケーションが自動的に起動して、受信した情報を処理する。このため、近接無線通信を介して端末機器１０から受信した情報を、ユーザの煩雑な操作を必要とすることなく処理することができる。
【０１０９】
また、端末機器１０と中継機器２０との近接無線通信を確立させるだけで、端末機器１０の識別情報を少なくとも含む情報を中継機器２０の識別情報に関連付けて、サーバ機器３１へ送信する。このため、ユーザによる１度のタッチ操作によって、近接無線通信を介して端末機器１０から受信した情報を処理して、外部のサーバ機器３１に端末機器１０の情報を登録することができる。
【０１１０】
なお、本実施の形態及びその変形例では、端末機器１０のループアンテナ１０４と中継機器２０のループアンテナ２０１とを近接させた際に、端末機器固有情報１００１とサーバアクセス情報１００２とアプリケーション識別情報１００３とを端末機器１０が中継機器２０へ送信しているが、アプリケーション識別情報１００３のみを送信することにしてもよい。
【０１１１】
この場合、コントローラ１０１は近接無線通信部１０３をＩＣタグモードに切り替え、中継機器２０のコントローラ２０５は所定のアプリケーションを起動し、さらに近接無線通信部２０４をリーダライタモードに切り替え、その後はアプリケーションの動作に従い、中継機器２０が端末機器固有情報１００１やサーバアクセス情報１００２を読み出すことができる。これにより、端末機器１０と中継機器２０とが１度にやりとりする情報量が少なくて済む。
【０１１２】
なお、本実施の形態の変形例において、近接無線通信部１０３を起動し、中継機器２０に対して近接無線通信を行うためのポーリング動作を開始するボタンを、端末機器１０に設けてもよい。通常、ポーリング動作は、不特定の相手に対して電波を出し続けるので、バッテリ駆動の携帯機器等では電池寿命の観点で負担が生じる。従って、ポーリング動作を行わせるための専用ボタンを配置すれば、無駄なポーリング動作を行わせないことができる。
【０１１３】
（実施の形態２）
次に、本発明における実施の形態２について、図面を用いて詳細に説明する。上記実施の形態１では、中継機器２０には、アプリケーション識別情報１００３に対応したアプリケーションが予めインストールされており、当該アプリケーションが自動起動されることとした。しかし、本実施の形態２では、当該アプリケーションが予めインストールされていない場合でも、サーバ機器３１から当該アプリケーションを受信し、起動する。
【０１１４】
ここで、本実施の形態２における通信システムは、実施の形態１における図１に示された通信システム１の中継機器２０の代わりに携帯機器５０００を備えている。このため、以下では、携帯機器５０００の構成について、詳細に説明する。
【０１１５】
図７は、本実施の形態２における中継機器である携帯電話などの携帯機器５０００の構成を示すブロック図である。
【０１１６】
同図に示すように、携帯機器５０００は、端末部５００１と近接無線通信部５００２とを備えており、端末部５００１と近接無線通信部５００２とは、端末部５００１のシステムコントローラ５０１０により接続される。なお、携帯機器５０００は、請求の範囲に記載の「通信装置」に相当し、例えばスマートフォンなどの携帯端末である。
【０１１７】
端末部５００１は、インターネットや携帯移動網を介して、サーバ機器３１と接続されるとともに、近接無線通信部５００２と、シリアルインタフェースや内部バスによって接続される部分である。
【０１１８】
端末部５００１は、システムコントローラ５０１０、メモリ部５０１１、アプリ管理部５０１５及び通信部５０１９を備えている。なお、システムコントローラ５０１０及びアプリ管理部５０１５は、請求の範囲に記載の「制御部」に包含される。
【０１１９】
システムコントローラ５０１０は、端末部５００１のシステムコントローラであり、近接無線通信部５００２と接続されているとともに、端末部５００１の各構成要素の制御を行う。システムコントローラ５０１０が行う制御の詳細な説明については、後述する。
【０１２０】
メモリ部５０１１は、アプリメモリ５０１２、機器情報メモリ５０１３及び汎用メモリ５０１４を含むメモリである。なお、メモリ部５０１１は、請求の範囲に記載の「記憶部」に相当する。
【０１２１】
アプリメモリ５０１２は、端末部５００１にインストールされているアプリケーションを記憶する部分であり、不揮発性メモリで構成される。
【０１２２】
機器情報メモリ５０１３は、後述する端末部５００１の機器情報を記憶する部分である。詳細は後述するが、機器情報とは携帯機器５０００の端末識別情報、電話番号、メールアドレス、契約者ＩＤなどにより構成される情報である。
【０１２３】
汎用メモリ５０１４は、近接無線通信で受信した端末通信情報や、通信部５０１９でサーバ機器３１から受信した情報を、一時的に記憶するメモリで構成される。
【０１２４】
アプリ管理部５０１５は、端末部５００１にインストールされるアプリケーションを管理する処理部であり、アプリインストール部５０１６、アプリ判定部５０１７及びアプリ起動部５０１８を備えている。
【０１２５】
アプリ判定部５０１７は、近接無線通信部５００２を介して受信した端末通信情報に含まれるアプリ識別情報に基づいて、端末部５００１のアプリメモリ５０１２に、当該アプリ識別情報に対応するアプリケーションが記憶されているか否かを判定する。ここで、アプリ識別情報とは、端末機器１０から受信する情報を処理するためのソフトウェアを識別する識別情報である。
【０１２６】
アプリインストール部５０１６は、アプリ識別情報に対応するアプリケーションがアプリメモリ５０１２に記憶されていないとアプリ判定部５０１７が判定した場合には、近接無線通信部５００２が受信する端末通信情報で示されるアプリダウンロードＵＲＬに基づいて、アプリケーションが格納されているサーバ機器３１に接続する。
【０１２７】
ここで、サーバ機器３１は、情報登録用のデータベースに加え、ソフトウェア（アプリケーション）を記憶している。つまり、サーバ機器３１は、請求の範囲に記載の「記憶装置」及び「登録装置」の機能を包含する。なお、通信システム１は、ソフトウェアを記憶しているサーバ機器（請求の範囲に記載の「記憶装置」に相当）と、情報を登録するためのサーバ機器（請求の範囲に記載の「登録装置」に相当）の２つのサーバ機器を備えていることにしてもよい。
【０１２８】
そして、アプリインストール部５０１６は、通信部５０１９を介して、接続したサーバ機器３１に、当該アプリケーションを送信するよう依頼するソフトウェア送信依頼信号を送信することで、サーバ機器３１から当該アプリケーションを取得する。そして、アプリインストール部５０１６は、当該アプリケーションをダウンロードして、アプリメモリ５０１２にインストールする。なお、ソフトウェア送信依頼信号には、アプリ識別情報と携帯機器５０００を識別する識別情報とが含まれる。
【０１２９】
アプリ起動部５０１８は、近接無線通信部５００２を介して受信した端末通信情報に含まれるアプリ識別情報に基づいて、端末部５００１のアプリメモリ５０１２に格納されているアプリケーションを起動する。アプリ起動部５０１８は、アプリ判定部５０１７によって、受信したアプリ識別情報に対応するアプリケーションが、アプリメモリ５０１２にインストールされていると判定された場合にのみ、動作を行う。
【０１３０】
具体的には、アプリ起動部５０１８は、アプリメモリ５０１２にアプリ識別情報に対応するアプリケーションが記憶されているとアプリ判定部５０１７が判定した場合には、アプリメモリ５０１２から当該アプリケーションを取得し、起動する。
【０１３１】
また、アプリ起動部５０１８は、アプリメモリ５０１２にアプリ識別情報に対応するアプリケーションが記憶されていないとアプリ判定部５０１７が判定した場合には、アプリインストール部５０１６がサーバ機器３１からダウンロードしてアプリメモリ５０１２にインストールしたアプリケーションを取得し、起動する。
【０１３２】
通信部５０１９は、近接無線通信部５００２で受信した端末通信情報に含まれるサーバ機器３１のＵＲＬに応じて、ＵＲＬの示すサーバ機器３１に接続して、サーバ機器３１から情報を受信したり、サーバ機器３１へ情報を送信したりする処理部である。通信部５０１９は、下記の２つの動作モードを備える。
【０１３３】
第１のモードは、アプリケーションのインストールモードである。
【０１３４】
このモードでは、近接無線通信部５００２が受信した端末通信情報に含まれるアプリ識別情報で示される通信部５０１９は、アプリケーションがアプリメモリ５０１２にインストールされていないとアプリ判定部５０１７によって判定された場合、端末通信情報に含まれるアプリダウンロードＵＲＬが示すサーバ機器３１に接続する。そして、通信部５０１９は、当該サーバ機器３１から、アプリ識別情報が示すアプリケーションをダウンロードして、アプリインストール部５０１６に送信する。
【０１３５】
なお、アプリインストール部５０１６は、ダウンロードしたアプリケーションを受信すると、アプリメモリ５０１２に当該アプリケーションのインストールを行う。
【０１３６】
また、通信部５０１９の第２のモードは、サーバ機器３１への登録モードである。
【０１３７】
このモードでは、通信部５０１９は、アプリ起動部５０１８がアプリ識別情報で示されるアプリケーションを起動後、近接無線通信部５００２で受信され汎用メモリ５０１４に記憶されている端末通信情報のアクセス情報が示す登録データベースＵＲＬに基づいて、サーバ機器３１に接続する。そして、通信部５０１９は、端末通信情報に含まれている端末機器１０を識別する端末情報に、機器情報メモリ５０１３に記憶されている通信機器情報を対応させて、携帯通信情報を生成し、サーバ機器３１に送信する。
【０１３８】
次に、携帯機器５０００の近接無線通信部５００２について説明する。本近接無線通信部５００２は、端末機器１０と近接無線通信を行う部分であり、ループアンテナ５０２１、近接通信制御部５０２２、近接通信メモリ５０２３及び通信モード切替部５０２４を備えている。
【０１３９】
なお、近接無線通信部５００２は、一般的なＮＦＣ（Ｎｅａｒ  Ｆｉｅｌｄ  Ｃｏｍｍｕｎｉｃａｔｉｏｎ）を用いた通信部であり、１３．５６ＭＨｚ帯で数十センチの距離で通信を行う処理部である。
【０１４０】
また、ＮＦＣは、ＩＣカードをエミュレーションするＩＣカードエミュレーションモードと、ＩＣカードのリーダライタをエミュレーションするリーダライタエミュレーションモードとを有する。
【０１４１】
ＩＣカードエミュレーションモードとリーダライタエミュレーションモードとの大きな違いは、ポーリングという呼びかけ動作を行うかどうかである。ポーリングは、不特定のＩＣカードに呼びかけを行うため、絶えず、電波を発する必要がある。一方、ＩＣカードエミュレーションモードは、リーダライタからのポーリングを電波として受信し、受信した電波から生起した電力、クロックで動作を行う。従って、リーダライタとは異なり、絶えず電波を出力することはない。
【０１４２】
また、一般的な携帯電話に内蔵される近接通信モジュールも、ＩＣカードエミュレーションモードとリーダライタエミュレーションモードとを備える。しかしながら、リーダライタエミュレーションモードで動作させる場合にのみ、携帯電話のアプリケーションを起動することによって、明示的にリーダライタエミュレーションモードに切り替えることが必要となる。アプリケーションの起動がない場合には、通常、ＩＣカードエミュレーションモードで動作する。
【０１４３】
ループアンテナ５０２１は、外部のリーダライタ機能を有する端末機器１０からのポーリング信号を受信し、当該ポーリング信号を出力している端末機器１０にポーリング応答を送信することによって、端末機器１０との近接無線通信を確立する。なお、ループアンテナ５０２１は、請求の範囲に記載の「アンテナ部」に相当する。
【０１４４】
近接通信制御部５０２２は、ループアンテナ５０２１が受信した信号を復調したり、ループアンテナ５０２１を介して端末機器１０に送信する情報を変調したりする。
【０１４５】
近接通信メモリ５０２３は、不揮発性メモリを含み、記憶している内容を外部の端末機器１０からのコマンドに応じて、ループアンテナ５０２１を介して送信したり、ループアンテナ５０２１で受信した信号を一時的に記憶したりする。また、近接通信メモリ５０２３には、ＲＯＭ（Ｒｅａｄ  Ｏｎｌｙ  Ｍｅｍｏｒｙ）領域が含まれ、当該領域に近接無線通信部５００２固有の識別情報が記録されている。
【０１４６】
通信モード切替部５０２４は、端末部５００１からのコマンドによって、近接無線通信部５００２をＩＣカードエミュレーションモードからリーダライタエミュレーションモードに切り替える。
【０１４７】
つまり、通信モード切替部５０２４は、近接無線通信部５００２がリーダライタ機能を有するリーダライタ機器と近接無線通信を行うリーダライタエミュレーションモードと、近接無線通信部５００２がＩＣタグ機能を有するタグ機器と近接無線通信を行うＩＣカードエミュレーションモードとを切り替える。具体的には、通信モード切替部５０２４は、端末機器１０がリーダライタ機器の場合に、近接無線通信部５００２をリーダライタエミュレーションモードに切り替え、端末機器１０がタグ機器の場合に、近接無線通信部５００２をＩＣカードエミュレーションモードに切り替える。
【０１４８】
図８は、本発明の実施の形態２における携帯機器５０００が受信する端末通信情報６０００と携帯機器５０００が送信する携帯通信情報６１００との構成を示す図である。具体的には、同図は、携帯機器５０００が近接無線通信を介して外部の端末機器１０から受信する端末通信情報６０００と、携帯機器５０００から通信部５０１９を介してサーバ機器３１に送信する携帯通信情報６１００との構成を示した概念図である。
【０１４９】
同図に示すように、端末通信情報６０００には、端末情報６００１、アプリアクセス情報６００９及びアクセス情報６０１２が含まれる。
【０１５０】
端末情報６００１には、端末機器１０の近接無線通信部１０３ごとに固有のＩＣタグ個別ＩＤ６００２、端末機器１０の種別を識別可能な端末型番６００３、端末機器１０の個体を識別可能な端末品番６００４、端末機器１０の製造メーカを特定可能な製造者ＩＤ６００５、端末機器１０の製造年月日６００６、端末機器１０がユーザに操作された使用履歴情報を示す端末使用履歴情報６００７及び端末機器に生じている不具合を特定するための端末不具合情報６００８が含まれる。なお、端末情報６００１または端末情報６００１に含まれる情報は、請求の範囲に記載の「端末識別情報」に相当する。
【０１５１】
アプリアクセス情報６００９には、携帯機器５０００にインストールされるべきアプリケーションのアプリ識別情報６０１０及びアプリケーションをダウンロードするサーバ機器３１を示すアプリダウンロードＵＲＬ６０１１が含まれる。なお、アプリ識別情報６０１０は、請求の範囲に記載の「ソフトウェア識別情報」に包含される。また、アプリダウンロードＵＲＬ６０１１は、請求の範囲に記載の「記憶装置識別情報」に包含される。
【０１５２】
アクセス情報６０１２には、端末情報６００１などを、携帯機器５０００を介してサーバ機器３１に登録するための、サーバアドレスを示した登録データベースＵＲＬ６０１３が含まれる。なお、登録データベースＵＲＬ６０１３は、請求の範囲に記載の「登録装置識別情報」に包含される。
【０１５３】
一方、携帯通信情報６１００は、携帯機器５０００とインターネットや携帯移動網を介して接続されるサーバ機器３１に、携帯機器５０００から送信される情報であり、端末情報６１０１及び通信機器情報６１０９が含まれる。
【０１５４】
端末情報６１０１は、端末通信情報６０００の端末情報６００１と同等の情報であり、近接無線通信を介して受信した端末通信情報６０００が一時的に記憶される汎用メモリ５０１４から呼び出されて使用される。
【０１５５】
また、通信機器情報６１０９は、機器情報メモリ５０１３に予め記憶されている情報であり、携帯機器５０００ごとに固有に識別可能な情報である通信機器ＩＤ６１１０、図示しないＧＰＳ（Ｇｌｏｂａｌ  Ｐｏｓｉｔｉｏｎｉｎｇ  Ｓｙｓｔｅｍ）で受信した位置情報６１１１、インストールされているアプリケーションのバージョン情報であるアプリバージョン６１１２及び利用者情報６１１３が含まれる。なお、通信機器情報６１０９または通信機器情報６１０９に含まれる情報は、請求の範囲に記載の「通信装置識別情報」に相当する。
【０１５６】
利用者情報６１１３は、携帯機器５０００を使用するユーザを識別可能な情報として、携帯機器５０００のＳＩＭカードに記録されている契約者ＩＤ６１１４、携帯機器５０００の電話番号６１１５、携帯機器のメールアドレス６１１６及び登録データベースのサーバで利用者を識別するためのサービスアカウント６１１７が含まれる。
【０１５７】
次に、携帯機器５０００の代表的な動作を説明する。
【０１５８】
図９は、本実施の形態２における携帯機器５０００の動作の一例を示すフローチャートである。
【０１５９】
同図に示すように、まず、近接無線通信部５００２は、ループアンテナ５０２１を介して端末機器１０と近接無線通信を行い、端末機器１０から端末通信情報６０００を受信する（Ｓ３０２）。
【０１６０】
具体的には、近接無線通信部５００２は、外部のリーダライタ機能を有する端末機器１０からのポーリング信号を受信すると、ポーリング信号を出力した端末機器１０に対してポーリング応答を返し、近接無線通信を確立する。そして、近接無線通信が確立すると、端末機器１０から端末通信情報６０００を受信し、受信した端末通信情報６０００を一旦、近接通信メモリ５０２３に一時記憶する。
【０１６１】
そして、端末通信情報６０００の一時記憶が完了すると、端末部５００１のシステムコントローラ５０１０は、近接通信メモリ５０２３に記憶されている端末通信情報６０００を、メモリ部５０１１の汎用メモリ５０１４に記憶させる。
【０１６２】
次に、システムコントローラ５０１０は、端末通信情報６０００のアプリアクセス情報６００９に示されているアプリ識別情報６０１０を読み出し、アプリ判定部５０１７に対して、アプリ識別情報６０１０が示すアプリケーションがアプリメモリ５０１２に既にインストールされているか否かを判定させる（Ｓ３０４）。
【０１６３】
そして、アプリ判定部５０１７の判定結果、当該アプリケーションがインストールされていると判定された場合には（Ｓ３０４でＹＥＳ）、システムコントローラ５０１０は、アプリ起動部５０１８によって、アプリ識別情報６０１０の示すアプリケーションをアプリメモリ５０１２から呼び出し、起動させる（Ｓ３１０）。
【０１６４】
一方、アプリ判定部５０１７の判定結果、当該アプリケーションがインストールされていないと判定された場合には（Ｓ３０４でＮＯ）、システムコントローラ５０１０は、通信部５０１９に、端末通信情報６０００のアプリアクセス情報６００９のアプリダウンロードＵＲＬ６０１１に示されているサーバ機器３１に接続させる（Ｓ３０６）。
【０１６５】
そして、システムコントローラ５０１０は、アプリアクセス情報６００９のアプリ識別情報６０１０の示すアプリケーションを、通信部５０１９を介してダウンロードして、アプリメモリ５０１２にインストールを行う（Ｓ３０８）。
【０１６６】
インストールが完了すれば、システムコントローラ５０１０は、アプリ起動部５０１８によって、アプリ識別情報６０１０の示すアプリケーションをアプリメモリ５０１２から呼び出し、起動させる（Ｓ３１０）。
【０１６７】
アプリケーションが起動すると、そのアプリケーション動作として、汎用メモリ５０１４に記憶されている端末通信情報６０００のアクセス情報６０１２から、登録データベースＵＲＬ６０１３が読み出され、通信部５０１９を介して、登録データベースＵＲＬ６０１３に示されたサーバ機器３１に接続される。そして、当該アプリケーション動作として、端末通信情報６０００の端末情報６００１に、機器情報メモリ５０１３に記憶されている通信機器情報６１０９を対応付けた携帯通信情報６１００が生成されて、当該携帯通信情報６１００がサーバ機器３１に送信される。
【０１６８】
次に、端末機器１０、携帯機器５０００及びサーバ機器３１の動作の関係について、より詳細に説明する。
【０１６９】
図１０Ａは、本実施の形態２における端末機器１０、携帯機器５０００及びサーバ機器３１の動作の一例を示すシーケンス図である。具体的には、同図は、端末機器１０がＩＣタグ機能を実装し、携帯機器５０００がリーダライタ機能を有する構成の場合の端末機器１０、携帯機器５０００及びサーバ機器３１の動作の一例を示すシーケンス図である。
【０１７０】
同図に示すように、まず、携帯機器５０００の近接無線通信部５００２は、ループアンテナ５０２１を介して、端末機器１０へポーリング信号を送信する（Ｓ４０１）。なお、携帯機器５０００は、一定時間間隔でポーリング信号を送信することにしてもよいし、端末機器１０からのポーリング信号を受信しない場合にポーリング信号を送信することにしてもよいし、ユーザからの操作に基づいてポーリング信号を送信することにしてもよい。また、携帯機器５０００がＩＣタグ機能の動作を行っている場合には、携帯機器５０００がＩＣタグ機能からリーダライタ機能への切り替えを行う、または、ユーザの設定によってリーダライタ機能へ切り替えられることで、ポーリング信号を送信することにしてもよい。
【０１７１】
そして、端末機器１０の近接無線通信部１０３は、携帯機器５０００からのポーリング信号を受信し（Ｓ４０３）、携帯機器５０００へポーリング応答を送信する（Ｓ４０５）。そして、携帯機器５０００の近接無線通信部５００２は、端末機器１０からのポーリング応答を受信し（Ｓ４０７）、端末機器１０との近接無線通信を確立する。
【０１７２】
このように、携帯機器５０００が端末機器１０に対してポーリング信号を送信することで携帯機器５０００と端末機器１０との近接無線通信が確立した場合は、携帯機器５０００がリーダライタ機能を有する機器として動作し、端末機器１０がＩＣタグ機能を有するタグ機器として動作する。つまり、この場合には、携帯機器５０００は、端末機器１０がタグ機器であると判断し、リーダライタ機器として動作する。具体的には、携帯機器５０００の通信モード切替部５０２４は、端末機器１０がタグ機器の場合に、近接無線通信部５００２をＩＣカードエミュレーションモードに切り替える。
【０１７３】
近接無線通信が確立すると、携帯機器５０００の近接無線通信部５００２は、端末機器１０に、端末情報６００１、アプリアクセス情報６００９及びアクセス情報６０１２を含む端末通信情報６０００の送信を要求する（Ｓ４０９）。
【０１７４】
これにより、端末機器１０の近接無線通信部１０３は、ループアンテナ１０４を介して携帯機器５０００に当該情報を送信し（Ｓ４１０）、携帯機器５０００の近接無線通信部５００２は、ループアンテナ２０１を介して端末機器１０から当該情報を受信する（Ｓ４１２）。このように、端末機器１０がタグ機器の場合には、携帯機器５０００をリーダライタ機器として動作させることで、端末機器１０と携帯機器５０００との近接無線通信を確立させ、当該情報を受信することができる。
【０１７５】
そして、携帯機器５０００のシステムコントローラ５０１０は、近接無線通信部５００２が受信した端末通信情報６０００を、汎用メモリ５０１４に一時的に記憶させる（Ｓ４１４）。
【０１７６】
次に、アプリ判定部５０１７は、汎用メモリ５０１４に記憶された端末通信情報６０００のアプリアクセス情報６００９のアプリ識別情報６０１０に基づいて、アプリメモリ５０１２にアプリ識別情報６０１０で示されたアプリケーションがインストールされているか否かを判定する（Ｓ４１６）。
【０１７７】
そして、アプリ判定部５０１７によりアプリ識別情報６０１０が示すアプリケーションがアプリメモリ５０１２にインストールされていないと判定された場合には、アプリインストール部５０１６は、汎用メモリ５０１４に記憶された端末通信情報６０００のアプリアクセス情報６００９のアプリダウンロードＵＲＬ６０１１に基づいて、アプリケーションをダウンロードするためのサーバ機器３１に接続する（Ｓ４１８）。
【０１７８】
そして、アプリインストール部５０１６は、通信部５０１９を介して、接続したサーバ機器３１に、当該アプリケーションを送信するよう依頼するソフトウェア送信依頼信号を送信する（Ｓ４２０）。ここで、ソフトウェア送信依頼信号には、アプリ識別情報６０１０と、通信機器ＩＤ６１１０などの携帯機器５０００を識別する情報とが含まれる。
【０１７９】
そして、サーバ機器３１は、ソフトウェア送信依頼信号に含まれるアプリ識別情報６０１０で示されるアプリケーションの登録状況を確認し（Ｓ４２２）、通信機器ＩＤ６１１０などの携帯機器５０００を識別する情報で示される携帯機器５０００に、当該アプリケーションを送信する（Ｓ４２４）。
【０１８０】
そして、アプリインストール部５０１６は、サーバ機器３１からアプリ識別情報６０１０で示されるアプリケーションをダウンロードして、ダウンロードしたアプリケーションをアプリメモリ５０１２にインストールする（Ｓ４２６）。
【０１８１】
次に、アプリ起動部５０１８は、アプリメモリ５０１２から当該アプリケーションを取得し、起動する（Ｓ４２８）。なお、同図では図示していないが、アプリ識別情報６０１０が示すアプリケーションがアプリメモリ５０１２にインストールされているとアプリ判定部５０１７が判定した場合は、アプリケーションのダウンロード及びインストールは行われずに、アプリ起動部５０１８は、アプリ識別情報６０１０で示されるアプリケーションを起動する（Ｓ４２８）。
【０１８２】
そして、アプリケーションが起動すれば、当該アプリケーションの動作に従って、通信部５０１９は、携帯通信情報６１００を生成し、送信する（Ｓ４３０）。
【０１８３】
具体的には、通信部５０１９は、汎用メモリ５０１４に記憶されている端末通信情報６０００の端末情報６００１を端末情報６１０１として、機器情報メモリ５０１３に記憶されている通信機器情報６１０９と対応付けて、携帯通信情報６１００を生成する。
【０１８４】
また、通信部５０１９は、携帯通信情報６１００を生成すれば、汎用メモリ５０１４に記憶されている端末通信情報６０００のアクセス情報６０１２に示されている登録データベースＵＲＬ６０１３を参照して、端末情報６１０１を登録するサーバ機器に接続して、携帯通信情報６１００をサーバに送信する。ここでは、端末情報６１０１を登録するサーバ機器は、サーバ機器３１であることとするが、サーバ機器３１と異なるサーバ機器に端末情報６１０１を登録させることにしてもよい。
【０１８５】
そして、携帯通信情報６１００を受信したサーバ機器３１は、携帯通信情報６１００に含まれる通信機器情報６１０９に対応付けて、端末情報６１０１をデータベースに登録する（Ｓ４３２）。通信機器情報６１０９には、ユーザを特定するための利用者情報が含まれるので、これに対応付けて端末情報６１０１を登録することによって、端末機器１０の愛用者登録を行うことが可能となる。
【０１８６】
そして、サーバ機器３１から登録完了通知を受信した携帯機器５０００は、表示部に登録完了の表示をさせ（Ｓ４３４）、処理を終了する。
【０１８７】
ここで、従来の愛用者登録では、ユーザ自身がハガキやウェブサイトに直接、ユーザの個人情報や購入した端末機器ごとにその製造番号、製品番号を入力する必要があった。そのため、愛用者登録が目論見通り増加することなく、本来の目的を達成するに至らなかった。
【０１８８】
しかしながら、本発明を利用すれば、ユーザは、ワンタッチという簡単操作で、端末機器の愛用者登録を完了することが可能となる。
【０１８９】
また、一般的な携帯電話には、近接通信モジュールが具備されているが、愛用者登録のためのアプリケーションをインストールしたり、アプリケーションを起動してからタッチしたりするなど煩雑な操作が必要であった。
【０１９０】
しかしながら、本発明を利用すれば、通常、アプリケーションの起動の必要のないＩＣカードエミュレーションモードで携帯電話の近接通信モジュールを利用することが可能となるとともに、起動すべきアプリケーションがインストールされていないと判定された場合には、近接無線通信を介して、読み出した情報からアプリケーションのダウンロード先を入手して、アプリケーションのインストールを自動化することが可能となる。
【０１９１】
また、インストールが完了すれば、インストールしたアプリケーション動作として、近接無線通信を介して読み出した端末情報を、利用者情報を含む携帯機器の通信機器情報に対応付けて、愛用者登録データベースに送信することによって、ワンタッチという簡単操作で、アプリケーションのインストールから、愛用者登録までの一連の処理を、自動的に行うことが可能となる。
【０１９２】
（実施の形態２の変形例）
次に、実施の形態２の変形例について、説明する。上記実施の形態２では、図１０Ａにおいて、端末機器１０がＩＣタグ機能を実装し、携帯機器５０００がリーダライタ機能を有する構成であることとした。しかし、本変形例では、端末機器１０がリーダライタ機能を実装し、携帯機器５０００がＩＣタグ機能を有する構成であることとする。
【０１９３】
図１０Ｂは、本実施の形態２の変形例における端末機器１０、携帯機器５０００及びサーバ機器３１の動作の一例を示すシーケンス図である。具体的には、同図は、端末機器１０がリーダライタ機能を実装し、携帯機器５０００がＩＣタグ機能を有する構成の場合の端末機器１０、携帯機器５０００及びサーバ機器３１の動作の一例を示すシーケンス図である。
【０１９４】
同図に示すように、まず、端末機器１０の近接無線通信部１０３は、ループアンテナ１０４を介して、携帯機器５０００へポーリング信号を送信する（Ｓ４０２）。なお、端末機器１０は、一定時間間隔でポーリング信号を送信することにしてもよいし、携帯機器５０００からのポーリング信号を受信しない場合にポーリング信号を送信することにしてもよいし、ユーザからの操作に基づいてポーリング信号を送信することにしてもよい。また、端末機器１０がＩＣタグ機能の動作を行っている場合には、端末機器１０がＩＣタグ機能からリーダライタ機能への切り替えを行う、または、ユーザの設定によってリーダライタ機能へ切り替えられることで、ポーリング信号を送信することにしてもよい。
【０１９５】
そして、携帯機器５０００の近接無線通信部５００２は、端末機器１０からのポーリング信号を受信し（Ｓ４０４）、端末機器１０へポーリング応答を送信する（Ｓ４０６）。そして、端末機器１０の近接無線通信部１０３は、携帯機器５０００からのポーリング応答を受信し（Ｓ４０８）、携帯機器５０００との近接無線通信を確立する。
【０１９６】
このように、端末機器１０が携帯機器５０００に対してポーリング信号を送信することで端末機器１０と携帯機器５０００との近接無線通信が確立した場合は、端末機器１０がリーダライタ機能を有する機器として動作し、携帯機器５０００がＩＣタグ機能を有するタグ機器として動作する。つまり、この場合には、携帯機器５０００は、端末機器１０がリーダライタ機器であると判断し、タグ機器として動作する。具体的には、携帯機器５０００の通信モード切替部５０２４は、端末機器１０がリーダライタ機器の場合に、近接無線通信部５００２をリーダライタエミュレーションモードに切り替える。
【０１９７】
近接無線通信が確立すると、端末機器１０の近接無線通信部１０３は、ループアンテナ１０４を介して携帯機器５０００に端末情報６００１、アプリアクセス情報６００９及びアクセス情報６０１２を含む端末通信情報６０００を送信し（Ｓ４１０）、携帯機器５０００の近接無線通信部５００２は、ループアンテナ５０２１を介して端末機器１０から当該情報を受信する（Ｓ４１２）。このように、端末機器１０がリーダライタ機器の場合に、携帯機器５０００をタグ機器として動作させることで、端末機器１０と携帯機器５０００との近接無線通信を確立させ、当該情報を受信することができる。
【０１９８】
そして、以降の処理（Ｓ４１４〜Ｓ４３４）が行われるが、これらの処理については、図１０Ａに示した処理（図１０ＡのＳ４１４〜Ｓ４３４）と同じ処理であるため、詳細な説明は省略する。
【０１９９】
なお、当該処理（Ｓ４１４〜Ｓ４３４）の間に、携帯機器５０００がタグ機器からリーダライタ機器に切り替わることで、端末機器１０がポーリング信号を送信し続けなくともよくなるため、電力の消費を低減することができる。例えば、アプリケーションの起動（Ｓ４２８）に応じて、携帯機器５０００をＩＣカードエミュレーションモードからリーダライタエミュレーションモードに切り替える。これによって、端末機器１０側をリーダライタエミュレーションモードからＩＣカードエミュレーションモードに切り替えることが可能となり、明示的に端末機器１０のポーリング動作を終了させることが可能となり、端末機器１０の消費電力を削減することが可能となる。携帯機器５０００は、アプリケーションの終了操作に応じてリーダライタエミュレーションモードからＩＣカードエミュレーションモードへ切り替えて、ポーリング動作を終了することが可能となる。
【０２００】
以上のように、本実施の形態２及びその変形例における携帯機器５０００によれば、アプリ識別情報６０１０に対応するアプリケーションがアプリメモリ５０１２に記憶されていない場合であっても、外部のサーバ機器から当該アプリケーションを取得し、起動させる。つまり、端末機器１０と携帯機器５０００との近接無線通信を確立させるだけで、携帯機器５０００に所定のアプリケーションが記憶されていない場合においても、携帯機器５０００を操作することなく自動的に所定のアプリケーションを起動させて、受信した情報を処理する。このため、近接無線通信を介して端末機器１０から受信した情報を、ユーザの煩雑な操作を必要とすることなく処理することができる。また、携帯機器５０００のメモリに多くのアプリケーションを保存させておく必要がないので、大きな容量のメモリを必要とせず、メモリ容量の低減を図ることができる。
【０２０１】
また、端末機器１０からアプリダウンロードＵＲＬ６０１１を受信して、アプリダウンロードＵＲＬ６０１１で示されるサーバ機器に、アプリ識別情報６０１０を含むソフトウェア送信依頼信号を送信することで、サーバ機器からアプリケーションを取得して起動させる。つまり、サーバ機器へのアクセス情報を端末機器１０から受信することで、簡易にサーバ機器にアクセスすることができ、アプリ識別情報６０１０をサーバ機器に送付することで、簡易にサーバ機器からアプリケーションを取得することができる。このため、複雑な処理を行うことなく、近接無線通信を介して端末機器１０から受信した情報を処理することができる。
【０２０２】
また、端末機器１０がリーダライタ機器の場合に、近接無線通信部５００２をリーダライタモードに切り替え、端末機器１０がタグ機器の場合に、近接無線通信部５００２をタグモードに切り替える。つまり、携帯機器５０００にリーダライタ機器またはタグ機器を近づけることによって、携帯機器５０００と当該リーダライタ機器またはタグ機器との近接無線通信を確立し、自動的に所定のアプリケーションを起動させることができる。このため、端末機器１０がリーダライタ機器であってもタグ機器であっても、近接無線通信を介して端末機器１０から受信した情報を、ユーザの煩雑な操作を必要とすることなく処理することができる。
【０２０３】
以上、本発明に係る通信装置である中継機器２０及び携帯機器５０００について、上記実施の形態及びその変形例を用いて説明したが、本発明は、これに限定されるものではない。
【０２０４】
つまり、今回開示された実施の形態及びその変形例はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【０２０５】
例えば、上記実施の形態１及びその変形例では、図３に示されたように、中継機器２０は、ループアンテナ２０１と近接無線通信部２０４とコントローラ２０５とメモリ２０６と通信部２０７とを備えていることとした。しかし、図１１に示すように、中継機器２１は、少なくとも、ループアンテナ２０１と近接無線通信部２０４とコントローラ２０５とを備えていればよく、メモリ２０６と通信部２０７とは中継機器２１の外部に備えられていてもよい。つまり、近接無線通信部２０４は、ループアンテナ２０１を介して端末機器１０と近接無線通信を行い、端末機器１０から受信する情報を処理するソフトウェアを識別するソフトウェア識別情報を端末機器１０から受信し、コントローラ２０５は、外部のメモリ２０６または通信部２０７から、ソフトウェア識別情報に対応するソフトウェアを取得し、起動させることにしてもよい。
【０２０６】
また、本発明は、このような通信装置として実現できるだけでなく、当該通信装置を構成する各処理部を備える集積回路として実現したり、当該各処理部の処理をステップとする通信方法として実現したりすることができる。さらに、本発明は、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データまたは信号として実現したりすることもできる。そして、それらプログラム、情報、データ及び信号は、インターネット等の通信ネットワークを介して配信してもよい。
【産業上の利用可能性】
【０２０７】
本発明に係る通信装置は、近接無線機能を有し、例えば不具合に至った使用履歴情報を近接無線通信によって自動的に取得することで、故障時の不再現課題を解決するシステム等として有用である。
【符号の説明】
【０２０８】
１      通信システム
１０    端末機器
２０、２１    中継機器
３０    ネットワーク
３１    サーバ機器
１０１  コントローラ
１０２  メモリ
１０３  近接無線通信部
１０４  ループアンテナ
２０１  ループアンテナ
２０２  表示部
２０３  入力部
２０４  近接無線通信部
２０５  コントローラ
２０６  メモリ
２０７  通信部
１００１  端末機器固有情報
１００２  サーバアクセス情報
１００３  アプリケーション識別情報
２０１１  中継機器識別情報（製造番号）
２０１２  使用者識別情報（ＳＩＭカードＩＤ等）
２０１３  中継機器型番（製造品番）
２０１４  アプリケーションソフト
２０１５  サーバアクセス情報
２０１６  サーバアドレス（ＵＲＬ）
５０００  携帯機器
５００１  端末部
５００２  近接無線通信部
５０１０  システムコントローラ
５０１１  メモリ部
５０１２  アプリメモリ
５０１３  機器情報メモリ
５０１４  汎用メモリ
５０１５  アプリ管理部
５０１６  アプリインストール部
５０１７  アプリ判定部
５０１８  アプリ起動部
５０１９  通信部
５０２１  ループアンテナ
５０２２  近接通信制御部
５０２３  近接通信メモリ
５０２４  通信モード切替部
６０００  端末通信情報
６００１  端末情報
６００２  ＩＣタグ個別ＩＤ
６００３  端末型番
６００４  端末品番
６００５  製造者ＩＤ
６００６  製造年月日
６００７  端末使用履歴情報
６００８  端末不具合情報
６００９  アプリアクセス情報
６０１０  アプリ識別情報
６０１１  アプリダウンロードＵＲＬ
６０１２  アクセス情報
６０１３  登録データベースＵＲＬ
６１００  携帯通信情報
６１０１  端末情報
６１０９  通信機器情報
６１１０  通信機器ＩＤ
６１１１  位置情報（ＧＰＳ）
６１１２  アプリバージョン
６１１３  利用者情報
６１１４  契約者ＩＤ
６１１５  電話番号
６１１６  メールアドレス
６１１７  サービスアカウント
【図１】
2012008108.tif 000003
【図２】
2012008108.tif 000004
【図３】
2012008108.tif 000005
【図４】
2012008108.tif 000006
【図５】
2012008108.tif 000007
【図６Ａ】
2012008108.tif 000008
【図６Ｂ】
2012008108.tif 000009
【図７】
2012008108.tif 000010
【図８】
2012008108.tif 000011
【図９】
2012008108.tif 000012
【図１０Ａ】
2012008108.tif 000013
【図１０Ｂ】
2012008108.tif 000014
【図１１】
2012008108.tif 000015
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
通信端末装置と近接無線通信を行い、前記通信端末装置から受信する情報をソフトウェアにより処理して、通信ネットワークを介して接続されている登録装置へ送信する通信装置であって、
前記通信端末装置からの電波を受信するアンテナ部と、
前記通信端末装置へポーリング信号を送信して前記通信端末装置からポーリング応答を受信するリーダライタ機器として動作する第１モードと前記通信端末装置からポーリング信号を受信して前記通信端末装置へポーリング応答を送信するタグ機器として動作する第２モードとの２つの通信モードのいずれかに切り替えて、前記アンテナ部を介して前記通信端末装置と近接無線通信を行い、前記通信端末装置から受信する情報を処理するソフトウェアを識別するソフトウェア識別情報と前記通信端末装置を識別する端末識別情報とを、前記通信端末装置から受信する近接無線通信部と、
受信された前記ソフトウェア識別情報に対応するソフトウェアである対応ソフトウェアを取得し、取得した前記対応ソフトウェアを起動させ、起動させた前記対応ソフトウェアの動作に従って、前記受信した通信端末装置の端末識別情報を含む登録情報を生成し、前記通信装置と通信ネットワークを介して接続されている前記登録装置へ前記登録情報を送信する制御部とを備え、
前記近接無線通信部は、
前記制御部が前記対応ソフトウェアを起動させるときに、通信モードを前記第１モードに切り替え、
前記通信端末装置からのポーリング信号を受信したときに通信モードを前記第２モードに切り替える
通信装置。
【請求項２】
さらに、
１以上のソフトウェアを記憶している記憶部を備え、
前記制御部は、前記記憶部に前記対応ソフトウェアが記憶されている場合に、前記記憶部から前記対応ソフトウェアを取得し、取得した前記対応ソフトウェアを起動させる
請求項１に記載の通信装置。
【請求項３】
前記通信装置は、前記対応ソフトウェアを含む１以上のソフトウェアを記憶している記憶装置と通信ネットワークを介して接続されており、
前記通信装置は、さらに、
前記記憶装置と通信する通信部を備え、
前記制御部は、
前記ソフトウェア識別情報を用いて、前記記憶部に前記対応ソフトウェアが記憶されているか否かを判定し、
前記記憶部に前記対応ソフトウェアが記憶されていると判定した場合には、前記記憶部から前記対応ソフトウェアを取得し、取得した前記対応ソフトウェアを起動させ、
前記記憶部に前記対応ソフトウェアが記憶されていないと判定した場合には、前記通信部を介して、前記対応ソフトウェアを送信するよう依頼するソフトウェア送信依頼信号を前記記憶装置に送信することで前記記憶装置から前記対応ソフトウェアを取得し、取得した前記対応ソフトウェアを起動させる
請求項２に記載の通信装置。
【請求項４】
前記近接無線通信部は、前記通信端末装置から、前記記憶装置を識別する記憶装置識別情報をさらに受信し、
前記制御部は、前記記憶部に前記対応ソフトウェアが記憶されていないと判定した場合には、前記通信部を介して、受信された前記記憶装置識別情報で示される記憶装置に、前記ソフトウェア識別情報と前記通信装置を識別する通信装置識別情報とが含まれる前記ソフトウェア送信依頼信号を送信することで、前記記憶装置から前記対応ソフトウェアを取得し、取得した前記対応ソフトウェアを起動させる
請求項３に記載の通信装置。
【請求項５】
前記近接無線通信部は、前記通信端末装置から、前記登録装置を識別する登録装置識別情報をさらに受信し、
前記制御部は、起動させた前記対応ソフトウェアの動作に従って、受信された前記端末識別情報を、前記通信装置を識別する通信装置識別情報に関連付けて、前記登録装置識別情報で示される登録装置に送信する
請求項１〜４のいずれか１項に記載の通信装置。
【請求項６】
前記近接無線通信部は、前記通信端末装置にポーリング信号を送信し、前記通信端末装置からポーリング応答を受信して近接無線通信が確立した場合に、前記通信端末装置に前記ソフトウェア識別情報の送信を要求することで、前記通信端末装置から前記ソフトウェア識別情報を受信する
請求項１〜５のいずれか１項に記載の通信装置。
【請求項７】
前記近接無線通信部は、前記通信端末装置からポーリング信号を受信した場合に、前記通信端末装置にポーリング応答を送信することで近接無線通信を確立させ、前記通信端末装置から前記ソフトウェア識別情報を受信する
請求項１〜５のいずれか１項に記載の通信装置。
【請求項８】
前記近接無線通信部は、前記通信端末装置がリーダライタ機器の場合に、通信モードを前記第２モードに切り替え、前記通信端末装置がタグ機器の場合に、通信モードを前記第１モードに切り替える
請求項１〜５のいずれか１項に記載の通信装置。
【請求項９】
通信端末装置と近接無線通信を行い、アンテナ部を介して前記通信端末装置から受信する情報をソフトウェアにより処理して、通信ネットワークを介して接続されている登録装置へ送信する通信装置が行う通信方法であって、
前記通信端末装置へポーリング信号を送信して前記通信端末装置からポーリング応答を受信するリーダライタ機器として動作する第１モードと前記通信端末装置からポーリング信号を受信して前記通信端末装置へポーリング応答を送信するタグ機器として動作する第２モードとの２つの通信モードのいずれかに切り替えて、前記アンテナ部を介して前記通信端末装置と近接無線通信を行い、前記通信端末装置から受信する情報を処理するソフトウェアを識別するソフトウェア識別情報と前記通信端末装置を識別する端末識別情報とを、前記通信端末装置から受信する近接無線通信ステップと、
受信された前記ソフトウェア識別情報に対応するソフトウェアである対応ソフトウェアを取得し、取得した前記対応ソフトウェアを起動させ、起動させた前記対応ソフトウェアの動作に従って、前記受信した通信端末装置の端末識別情報を含む登録情報を生成し、前記通信装置と通信ネットワークを介して接続されている前記登録装置へ前記登録情報を送信する制御ステップとを含み、
前記近接無線通信ステップでは、
前記制御ステップで前記対応ソフトウェアを起動させるときに、通信モードを前記第１モードに切り替え、
前記通信端末装置からのポーリング信号を受信したときに通信モードを前記第２モードに切り替える
通信方法。
【国際調査報告】
2012008108.tif 000016
2012008108.tif 000017
2012008108.tif 000018
2012008108.tif 000019